(57)【要約】【課題】複数のディスプレイを有し、かつ表示データを生成するアプリケーションを複数有する場合であっても、目的とする表示データを簡単な操作で表示させること。【解決手段】操作入力部Ａ１〜Ｄ１によってリスト表示が指示されたとき、起動中のアプリケーションによる表示データのリストを、リスト表示を指示した操作入力部Ａ１〜Ｄ１に対応するディスプレイＡ〜Ｄに表示する。このため、各アプリケーションが起動中であるか否かを簡単に確認することができる。そして、表示されたリストの中に、目的とする表示データがある場合には、そのリストにおいて、ディスプレイＡ〜Ｄに表示すべき表示データを選択することができるので、目的とする表示データを簡単な操作で表示させることが可能になる。【選択図】図１
2007121799.tif 000002
【特許請求の範囲】
【請求項１】
車両に搭載された複数のディスプレイと、
複数の異なる表示データを生成するための複数の表示データ生成手段と、
前記複数のディスプレイに対応してそれぞれ設けられ、当該ディスプレイにおいて表示すべき表示データを指示する複数の指示手段と、
前記複数の指示手段のいずれかによって表示データの表示が指示されたとき、指示された表示データを生成する表示データ生成手段を起動する起動手段と、
起動されている表示データ生成手段によって生成された表示データの中から、表示を行うべきディスプレイに出力する表示データを選択して出力する選択出力手段と、
前記複数のディスプレイに対応してそれぞれ設けられ、前記起動手段によって起動されている表示データ生成手段による表示データのリスト表示を指示するリスト表示指示手段と、
前記リスト表示指示手段によってリスト表示が指示されたとき、起動中の表示データ生成手段による表示データのリストを表示するためのリスト表示データを生成するリスト表示データ生成手段とを備え、
前記選択出力手段は、前記リスト表示が指示されたとき、前記リスト表示データ生成手段によって生成されたリスト表示データを、前記リスト表示を指示したリスト表示指示手段に対応するディスプレイに出力するとともに、前記指示手段により、そのリストにおいて、前記選択出力手段により選択して出力される表示データを選択することが可能であることを特徴とする表示制御システム。
【請求項２】
前記選択出力手段は、各々のディスプレイに対して、対応する指示手段によって最後に指示された表示データを選択して出力することを特徴とする請求項１に記載の表示制御システム。
【請求項３】
前記リスト表示データ生成手段は、各ディスプレイ毎に、対応する指示手段の指示操作によって起動された表示データ生成手段による表示データと、他のディスプレイに対応する指示手段の指示操作によって起動された表示データ生成手段による表示データとを区別できるようにリスト表示データを生成することを特徴とする請求項１又は請求項２に記載の表示制御システム。
【請求項４】
前記起動手段は、表示データの表示を指示した指示手段から、当該表示データを生成する表示データ生成手段の動作停止を指示されたとき、その表示データ生成手段の動作を停止させる一方、表示データの表示を指示した指示手段と動作停止を指示した指示手段とが異なる場合、該当する表示データ生成手段の動作停止を行わないことを特徴とする請求項１乃至請求項３のいずれかに記載の表示制御システム。
【請求項５】
前記複数のディスプレイに対応してそれぞれ設けられ、停止中の表示データ生成手段による表示データのリスト表示を指示する停止中リスト表示指示手段と、
前記停止中リスト表示指示手段によってリスト表示が指示されたとき、停止中の表示データ生成手段による表示データのリストを表示するためのリスト表示データを生成する停止中リスト表示データ生成手段とをさらに備え、
前記選択出力手段は、前記リスト表示が指示されたとき、前記停止中リスト表示データ生成手段によって生成されたリスト表示データを、前記リスト表示を指示した停止中リスト表示指示手段に対応するディスプレイに出力するとともに、前記指示手段により、そのリストにおいて、前記起動手段により起動され、かつ前記選択出力手段により選択して出力される表示データを選択することが可能であることを特徴とする請求項１乃至請求項４のいずれかに記載の表示制御システム。
【発明の詳細な説明】
【技術分野】
【０００１】
本発明は、車両に搭載された複数のディスプレイにおいて、ユーザが所望する表示データを簡単な操作で表示することが可能な表示制御システムに関する。
【背景技術】
【０００２】
従来、例えば特許文献１には、種々の情報画面を縮小して一緒に表示し、このうち選択された情報画面を拡大して表示することにより、ユーザが見たい画面を即座に拡大して表示することが可能な表示装置が提案されている。
【０００３】
この表示装置においては、例えば、最初にディスプレイに複数の情報画面が表示され、その中のいずれかの画面が選択されると、選択された情報画面が拡大されて表示される。このとき、他の情報画面は、縮小されて表示される。この縮小された情報画面のいずれかがさらに選択されると、この選択された情報画面も拡大されて表示される。
【特許文献１】特開２００２−３７２４３２号公報
【発明の開示】
【発明が解決しようとする課題】
【０００４】
上述した特許文献１に記載された表示装置は、１つのディスプレイしか有していないが、近年、例えば、車両の前席周辺だけでなく、後座周辺にもディスプレイを搭載するなど、車両に複数のディスプレイを搭載することが考えられている。このように、複数のディスプレイが搭載された場合には、例えば運転者は運転操作に必要な情報を表示させる一方で、他の乗員は、ＴＶ画面やＤＶＤ等のメディアによる画面等を表示させることが可能になる。
【０００５】
ところが、複数のディスプレイに表示可能な表示データを生成するための機器やプログラム（以下、アプリケーションという）などが複数あり、それらのアプリケーションが同時に起動可能である場合、目的とする表示データを簡単な操作で表示させることができないおそれが生じる。
【０００６】
すなわち、自ら複数のアプリケーションを起動済みであって、その内の１つのアプリケーションによって生成された表示データをディスプレイに表示させている場合、表示していない表示データのアプリケーションについては、既に起動済みであるか否かを判断することが困難となる。
【０００７】
この場合、特許文献１に記載のように、起動済みアプリケーションによる表示データ（情報画面）を縮小して表示することも考えられるが、車載用ディスプレイは、一般的に画面の大きさが小さいので、表示が見難くなってしまう。
【０００８】
さらに、複数のディスプレイにおいて相互に独立して、各々のアプリケーションの起動を指示できる場合、目的とする表示データを生成するアプリケーションは、既に他のユーザの操作によって起動済みであることも考えられる。
【０００９】
本発明は、上述した点に鑑みてなされたものであり、複数のディスプレイを有し、かつ表示データを生成するアプリケーションを複数有する場合であっても、目的とする表示データを簡単な操作で表示させることが可能な表示制御システムを提供することを目的とする。
【課題を解決するための手段】
【００１０】
上記目的を達成するために、請求項１に記載の表示制御システムは、
車両に搭載された複数のディスプレイと、
複数の異なる表示データを生成するための複数の表示データ生成手段と、
複数のディスプレイに対応してそれぞれ設けられ、当該ディスプレイにおいて表示すべき表示データを指示する複数の指示手段と、
複数の指示手段のいずれかによって表示データの表示が指示されたとき、指示された表示データを生成する表示データ生成手段を起動する起動手段と、
起動されている表示データ生成手段によって生成された表示データの中から、表示を行うべきディスプレイに出力する表示データを選択して出力する選択出力手段と、
複数のディスプレイに対応してそれぞれ設けられ、起動手段によって起動されている表示データ生成手段による表示データのリスト表示を指示するリスト表示指示手段と、
リスト表示指示手段によってリスト表示が指示されたとき、起動中の表示データ生成手段による表示データのリストを表示するためのリスト表示データを生成するリスト表示データ生成手段とを備え、
選択出力手段は、リスト表示が指示されたとき、リスト表示データ生成手段によって生成されたリスト表示データを、リスト表示を指示したリスト表示指示手段に対応するディスプレイに出力するとともに、指示手段により、そのリストにおいて、選択出力手段により選択して出力される表示データを選択することが可能であることを特徴とする。
【００１１】
上述したように、請求項１に記載の表示制御システムでは、リスト表示が指示されたとき、起動中の表示データ生成手段による表示データのリストを、リスト表示を指示したリスト表示指示手段に対応するディスプレイに表示するようにした。このため、各表示データ生成手段が起動中であるか否かを簡単に確認することができる。そして、表示されたリストの中に、目的とする表示データがある場合には、そのリストにおいて、ディスプレイに表示すべき表示データを選択することができるので、目的とする表示データを簡単な操作で表示させることが可能になる。
【００１２】
請求項２に記載したように、選択出力手段は、各々のディスプレイに対して、対応する指示手段によって最後に指示された表示データを選択して出力することが好ましい。リスト表示を用いて、表示データの切り換えを指示する前においては、指示手段によって最後に指示された表示データが、ユーザにとって表示することが必要な表示データと考えられるためである。
【００１３】
請求項３に記載したように、リスト表示データ生成手段は、各ディスプレイ毎に、対応する指示手段の指示操作によって起動された表示データ生成手段による表示データと、他のディスプレイに対応する指示手段の指示操作によって起動された表示データ生成手段による表示データとを区別できるようにリスト表示データを生成することが好ましい。これにより、自らの操作に基づいて起動された表示データ生成手段と、他のユーザの操作に基づいて起動された表示データ生成手段とを容易に識別することができる。
【００１４】
請求項４に記載したように、起動手段は、表示データの表示を指示した指示手段から、当該表示データを生成する表示データ生成手段の動作停止を指示されたとき、その表示データ生成手段の動作を停止させる一方、表示データの表示を指示した指示手段と動作停止を指示した指示手段とが異なる場合、該当する表示データ生成手段の動作停止を行わないように構成しても良い。これにより、表示データの表示を指示したユーザは、他のユーザの誤操作等によって、視認中の画面表示を妨げられることがない。
【００１５】
なお、他のユーザによる動作停止を禁止する以外に、他のユーザによる表示中の表示データの変更を禁止するようにしても良い。例えば、表示データとしてＴＶ画面を表示中であれば、選局の変更を禁止したり、ＤＶＤによる映画を表示している場合には、スキップや早送り等を禁止するようにしても良い。
【００１６】
請求項５に記載の表示制御システムは、
複数のディスプレイに対応してそれぞれ設けられ、停止中の表示データ生成手段による表示データのリスト表示を指示する停止中リスト表示指示手段と、
停止中リスト表示指示手段によってリスト表示が指示されたとき、停止中の表示データ生成手段による表示データのリストを表示するためのリスト表示データを生成する停止中リスト表示データ生成手段とをさらに備え、
選択出力手段は、リスト表示が指示されたとき、停止中リスト表示データ生成手段によって生成されたリスト表示データを、リスト表示を指示した停止中リスト表示指示手段に対応するディスプレイに出力するとともに、指示手段により、そのリストにおいて、起動手段により起動され、かつ選択出力手段により選択して出力される表示データを選択することが可能であることを特徴とする。
【００１７】
これにより、リスト表示が指示されたとき、停止中の表示データ生成手段による表示データのリストを、リスト表示を指示したリスト表示指示手段に対応するディスプレイに表示することができる。このため、各表示データ生成手段が停止中であるか否かを簡単に確認することができる。そして、表示されたリストの中に、目的とする表示データがある場合には、そのリストにおいて、ディスプレイに表示すべき表示データを選択することができるので、目的とする表示データを簡単な操作で表示させることが可能になる。
【発明を実施するための最良の形態】
【００１８】
図１は、本発明の実施形態における表示制御システムの全体構成を示すブロック図である。図１に示すように、本実施形態による表示制御システムは、複数のディスプレイＡ〜Ｄを備える。これら複数のディスプレイＡ〜Ｄは、例えば、運転席（Ｄ席）の前方、助手席（Ｐ席）の前方、運転席の後部座席（ＤＲ席）の前方、及び助手席の後部座席（ＰＲ席）の前方にそれぞれ配置され、各座席のユーザに対して所望の画面表示情報を提供する。なお、上述した位置に加え、さらに、ダッシュボードの中央や、中央後部座席の前方などの他の場所にもディスプレイを設置しても良い。
【００１９】
これら複数のディスプレイＡ〜Ｄのそれぞれに対応して、各ディスプレイにおいて表示すべき表示データを指示するための操作入力部Ａ１〜Ｄ１が設けられている。これら操作入力部Ａ１〜Ｄ１は、各ディスプレイＡ〜Ｄと一体となったタッチパネルにより構成しても良いし、各ディスプレイＡ〜Ｄの近傍に設けられたメカニカルな操作スイッチ群により構成しても良いし、さらに、各ディスプレイＡ〜Ｄに対応するリモコンの受信部であっても良い。
【００２０】
本実施形態においては、図１に示すように、車載ナビゲーション装置本体１が、上述した各ディスプレイＡ〜Ｄに対して、各々のディスプレイＡ〜Ｄにおいて表示すべき表示データを出力する。このため、車載ナビゲーション装置本体１は、各種センサから信号を入力したり、外部機器との通信を行ったりすることによって、各種の表示データが車載ナビゲーション装置本体１において生成されるように構成されている。
【００２１】
例えば、ナビゲーション装置本体１は、外部機器として、ＴＶチューナ、ラジオ、ＣＤ／ＤＶＤプレーヤなどのオーディオ機器と通信を行うことにより、オーディオ操作画面、ＴＶ画面、ＤＶＤ画面等の表示データを生成して、各ディスプレイＡ〜Ｄに出力することが可能である。その他に、各種センサや外部機器との通信に基づいて車載ナビゲーション装置本体１が生成する表示データとしては、メータ表示画面、エアコン操作画面、車載カメラによる車両の周辺画像、ゲーム実行画面、及び燃費、走行距離、平均走行速度などを表示するドライブ情報画面などがある。
【００２２】
また、ナビゲーション装置本体１は、地図情報を記憶した記憶媒体（ＨＤＤ，ＤＶＤ，ＣＤ等）３、及びその地図情報を利用して、車両の現在位置周辺の地図表示画面を生成したり、図示しないＶＩＣＳ受信機によって受信された交通情報を表示する交通情報表示画面を生成したりする制御部２を備えている。この制御部２は、その他、車両のメンテナンス時期を管理する車両メンテナンス情報画面や、ユーザの予定を管理するためのスケジュール情報画面などを表示データとして生成する。
【００２３】
このように、本実施形態では、各ディスプレイＡ〜Ｄにおいて表示可能な表示データを生成するための外部機器や制御部２におけるプログラム（以下、アプリケーションという）などが複数ある。このため、制御部２は、各種のアプリケーションによる表示データの一覧を示すメニュー画面を生成して、各座席のユーザが、操作入力部Ａ１〜Ｄ１を用いて所望の表示データを選択することができるようにしている。ただし、この表示データの選択は、メニュー画面からではなく、操作入力部Ａ１〜Ｄ１において各アプリケーション専用に個別のスイッチを設け、それらの専用スイッチによって行うようにすることも可能である。
【００２４】
音声出力部４は、各ディスプレイＡ〜Ｄに対応して設けられたスピーカ等からなり、各ディスプレイＡ〜Ｄにおいて表示している表示データに対応する音声データを出力する。この音声データは、ナビゲーション装置本体１の制御部２から出力される
ここで、メニュー画面が表示されているとき、もしくは専用のスイッチによって、いずれかの座席のユーザが表示データを選択した場合に、その表示データを生成するためのアプリケーションが未起動であると、表示データの選択操作に応じて、該当するアプリケーションが起動される。
【００２５】
そして、本実施形態では、複数のアプリケーションが同時に起動されても、それらのアプリケーションによる表示データを同時に生成できる処理能力を、制御部２に対して付与している。従って、一旦、アプリケーションが起動された後は、ユーザは、その起動中のアプリケーションによって生成される表示データを選択するだけで、即座に目的とする表示データによる表示の提供を受けることができる。
【００２６】
ただし、複数のディスプレイＡ〜Ｄに表示可能な表示データを生成するためのアプリケーションが複数あり、それらのアプリケーションが同時に起動可能である場合、目的とする表示データを簡単な操作で表示させることができないおそれが生じる。
【００２７】
すなわち、自ら複数のアプリケーションを起動済みであって、その内の１つのアプリケーションによって生成された表示データをディスプレイに表示させている場合、表示されていない表示データのアプリケーションについては、既に起動済みであるか否かを判断することが困難となる。また、複数のディスプレイＡ〜Ｄにはそれぞれ操作入力部Ａ１〜Ｄ１が設けられており、相互に独立して各々のアプリケーションの起動を指示できるため、目的とする表示データを生成するアプリケーションは、既に他のユーザの操作によって起動済みであることも考えられる。
【００２８】
このような状況において、目的とする表示データを簡単な操作で表示することができるように、制御部２では、図２及び図３のフローチャートに示す表示制御処理を実行する。以下、この表示制御処理について、詳細に説明する。
【００２９】
図２は、表示制御処理のメインルーチンを示すフローチャートである。この表示制御処理のメインルーチンは、車両のエンジンスイッチがオンされると、その処理を開始する。まず、ステップＳ１００では、各種センサもしくはメータＥＣＵとの通信によって、速度、エンジン回転数、水温等の情報を取得し、この取得した情報に基づいてメータ表示画面を生成するためのプログラムであるメータ画面表示アプリケーションを起動する。このメータ画面は、ユーザによって他の表示が要求されていなければ、運転席前方のディスプレイＡに表示される。
【００３０】
ステップＳ１１０では、いずれかの座席のユーザが操作入力部Ａ１〜Ｄ１を操作して、メニュー画面等を利用して表示データの選択を行ったか否かを判定する。この判定処理において「Ｙｅｓ」と判定された場合、ステップＳ１２０において、表示が指示された表示データを生成するアプリケーションを起動するとともに、ステップＳ１３０において、起動したアプリケーションと起動を支持した操作入力部Ａ１〜Ｄ１との対応関係を記憶する。
【００３１】
なお、表示が指示された表示データを生成するアプリケーションが既に起動済みである場合には、既にアプリケーションは起動済みである旨を表示するとともに、そのアプリケーションによる表示データの表示を開始する。
【００３２】
この起動済みアプリケーションによる表示データが、ユーザによって表示内容等の変更が可能である場合、ステップＳ１３０にて記憶した対応関係に基づいて、表示内容等の変更は、アプリケーションを起動したユーザにのみ認めるようにしても良い。すなわち、表示データの選択をおこなった操作入力部Ａ１〜Ｄ１からだけ、表示内容の変更操作を受け付けるようにようにしても良い。例えば、表示データとしてＴＶ画面を表示中であれば、ＴＶチューナを起動したユーザ以外のユーザによる選局の変更を禁止したり、ＤＶＤによる映画を表示している場合には、ＤＶＤプレーヤを起動したユーザ以外のユーザによるスキップや早送り等を禁止する。
【００３３】
さらに、他のユーザによる表示内容等の変更を禁止する以外に、他のユーザによるアプリケーションの動作停止を禁止するようにしても良い。すなわち、表示データの表示を指示した操作入力部Ａ１〜Ｄ１から、当該表示データの表示を終了する指示操作があった場合、その指示操作を、表示データを生成するアプリケーションの動作停止指示とみなして、そのアプリケーションの動作を停止させる。一方、表示データの表示を指示した操作入力部Ａ１〜Ｄ１と表示データの表示終了を指示した操作入力部Ａ１〜Ｄ１とが異なる場合、該当するアプリケーションの動作停止を禁止する。
【００３４】
このようにすれば、表示データの表示を指示したユーザが、他のユーザの誤操作等によって、視認中の表示データの画面表示を妨げられることを防止できる。
【００３５】
また、このように他のユーザが起動したアプリケーションに関して、表示データの表示内容等の変更や、そのアプリケーションの動作停止が制限される場合には、特に、いずれのアプリケーションが起動済みであるか、さらには、その起動済みアプリケーションを自ら起動したのか、他のユーザが起動したのかを把握できるようにすることが有効となる。そのため、本実施形態では、後述するように、起動中アプリケーションによる表示データのリストを表示する際に、ステップＳ１３０にて記憶した対応関係に基づいて、自らの操作によって起動したアプリケーションによる表示データと、他のユーザの操作によって起動されたアプリケーションによる表示データとを区別できるようにリスト表示データを生成する。これにより、自らの操作に基づいて起動されたアプリケーションと、他のユーザの操作に基づいて起動されたアプリケーションとを容易に識別することができる。
【００３６】
ステップＳ１４０では、各ディスプレイＡ〜Ｄに出力する表示データを選択する選択処理を行う。この選択処理の詳細について、図３のフローチャートに基づいて説明する。なお、図３に示すフローチャートは、運転席前方に配置されたディスプレイＡに出力する表示データを選択する選択処理を示すものであるが、他の座席の場合も基本的に同様の選択処理を行う。但し、他の座席前方のディスプレイＢ〜Ｄにおいて、何ら表示指示がない場合に、メータ画面表示を行うか否かは任意である。
【００３７】
ステップＳ２１０では、運転席ディスプレイＡの操作入力部Ａ１において、いずれかの表示データの表示指示がなされたか否かを判定する。このステップＳ２１０の判定処理において、何ら表示指示がない場合には、ステップＳ２２０に進んで、表示データとしてメータ画面を選択する。一方、表示指示があった場合には、最後に表示を指示された表示データを選択する。なお、表示指示が複数回行われた場合には、表示指示された表示データを生成するアプリケーションは全て起動された状態となる。
【００３８】
ステップＳ２３０では、起動中アプリケーションに関するリスト表示を行うことが指示されたか否かを判定する。このように、本実施形態では、各操作入力部Ａ１〜Ｄ１が、起動中アプリケーションによる表示データのリストを表示させることを指示可能に構成されている。
【００３９】
リスト表示指示があったと判定されると、ステップＳ２４０において、ステップＳ１３０において記憶された対応関係に基づいて、起動中アプリケーションによる表示データのリストを表示するためのリスト表示データを生成する。この場合、例えば図４（ａ）、（ｂ）に示すように、自らが起動したアプリケーションによる表示データと、他のユーザによって起動されたアプリケーションによる表示データとを別画面として表示することにより、これらを明確に区別することができる。
【００４０】
なお、図４（ａ）は、自らが起動したアプリケーションによる表示データのリストを示し、図４（ｂ）は、他のユーザが起動したアプリケーションによる表示データのリストを示す。従って、他のユーザがリスト表示を指示した場合、自らが起動したアプリケーションによる表示データのリストは、図４（ｃ）に示すようになる。また、他のユーザが複数人からなる場合に、その他のユーザの１人がリスト表示を指示した場合、当然ではあるが、そのユーザ自らが起動したアプリケーションによる表示データのみがリスト表示されることになる。
【００４１】
ただし、自らが起動したアプリケーションによる表示データのリストと、他のユーザが起動したアプリケーションによる表示データのリストとは、必ずしも別画面とする必要はなく、両者が区別できる態様で表示される限り、同一画面に同時に表示するようにしても良い。
【００４２】
ステップＳ２５０では、ステップＳ２４０にて生成したリスト表示データを、運転席ディスプレイＡに表示する。この場合、自らが起動したアプリケーションによる表示データのリストと、他のユーザが起動したアプリケーションによる表示データのリストとが別画面である場合には、操作入力部Ａ１によって切換指示がなされる毎に、表示されるリストを切り換えれば良い。
【００４３】
ステップＳ２６０では、リスト表示を行っている最中に、その表示されたリストにおいて、表示データの選択操作が行われたか否かを判定する。すなわち、ユーザは、表示されたリストにおいて、操作入力部Ａ１を用いて運転席ディスプレイＡに表示させる表示データを選択することが可能である。このステップＳ２６０の判定処理において、表示データの選択操作が行われたと判定されると、ステップＳ２７０に進んで、選択操作のされた表示データを、表示すべき表示データとして選択する。
【００４４】
以上のようにして、図２のフローチャートのステップＳ１４０において、各ディスプレイＡ〜Ｄにおいて表示する表示データが選択されると、続いてステップＳ１５０において、選択された表示データを各ディスプレイＡ〜Ｄに出力することにより、選択した所望の表示データが表示されることになる。
【００４５】
以上、本発明の好ましい実施形態について説明したが、本発明は、上述した実施形態に何ら制限されることなく、本発明の主旨を逸脱しない範囲において、種々変形して実施することが可能である。
【００４６】
例えば、上述した実施形態では、起動中のアプリケーションによる表示データのリストを表示したが、まだ起動していないアプリケーションによる表示データのリストを表示し、このリストの中から、表示すべき表示データを選択できるようにしても良い。
【００４７】
この場合、各操作入力部Ａ１〜Ｄ１は、動作を停止しているアプリケーションによる表示データのリスト表示を指示できるように構成される。そして、動作停止中のアプリケーションによるリスト表示が指示された場合には、上述したステップＳ１３０において記憶された対応関係を参照して、まだ起動されていないアプリケーションを特定し、その表示データのリストを表示するためのリスト表示データを生成する。
【００４８】
そして、このリスト表示データをディスプレイＡ〜Ｄに表示しているときに、いずれかの表示データが選択された場合には、その表示データを生成するアプリケーションを起動し、かつ表示データを対応するディスプレイＡ〜Ｄに出力する。
【００４９】
このようにすれば、各アプリケーションが停止中であるか否かを簡単に確認することができる。そして、表示されたリストの中に、目的とする表示データがある場合には、そのリストにおいて、ディスプレイに表示すべき表示データを選択することができるので、目的とする表示データを簡単な操作で表示させることが可能になる。
【００５０】
また、上述した実施形態においては、選択された表示データのみを各ディスプレイＡ〜Ｄに出力する例について説明した。しかしながら、例えば、表示指示に応じて、アプリケーションが起動されると、ディスプレイＡ〜Ｄの表示画面において、そのアプリケーションによる表示データを表示するウインドウを設定し、新たな表示指示がなされる度に、既に表示済みのウインドウの一部もしくは全部に上書きするように、新たに表示指示がなされた表示データを表示するためのウインドウを設定して、表示画面を生成するようにしても良い。
【００５１】
この場合、最上位に設定されたウインドウによって表示される表示データ以外の表示データは、その一部若しくは全部が隠されるので、実質的にその表示を認識することができない状態となる。従って、最上位に設定されるウインドウに表示される表示データを選択することが、上述した実施例においてディスプレイに出力する表示データを選択することに相当することとなる。
【００５２】
このように表示データを表示するウインドウを重ねるように表示する場合も、上述したように、起動中アプリケーションによる表示データのリストや、停止中アプリケーションによる表示データのリストを表示することにより、簡単な操作で目的とする表示データを表示させることができる。
【図面の簡単な説明】
【００５３】
【図１】本発明の実施形態における表示制御システムの全体構成を示すブロック図である。
【図２】表示制御処理のメインルーチンを示すフローチャートである。
【図３】運転席前方に配置されたディスプレイＡに出力する表示データを選択する選択処理を示すフローチャートである。
【図４】（ａ）は、自らが起動したアプリケーションによる表示データのリストを示し、（ｂ）は、他のユーザが起動したアプリケーションによる表示データのリストを示す。（ｃ）は、他のユーザがリスト表示を指示した場合に、自らが起動したアプリケーションによる表示データのリストの表示例を示す。
【符号の説明】
【００５４】
１…車載ナビゲーション装置本体
２…制御部
３…記憶媒体
４…音声出力部
Ａ〜Ｄ…ディスプレイ
Ａ１〜Ｄ１…操作入力部
【図１】
2007121799.tif 000003
【図２】
2007121799.tif 000004
【図３】
2007121799.tif 000005
【図４】
2007121799.tif 000006